(57)【要約】【課題】  本発明はラインストーン等を接着してできる装飾品を１個または複数個製作するために特定の絵や写真を下絵として利用することを可能にする様々な形態の透明である平板を備えるラインストーン等の装飾品のための額を提供する。【解決手段】  ラインストーン等の装飾品を容易に製作できるよう様々な形態の透明な平板を用いて下絵を挟むことによって、または、下絵を挿し込むことによって、あるいは、下絵を貼り付けることによって下絵の利用を可能にすることを特徴とするラインストーン等の装飾品のための額。【選択図】図１
2009143214.tif 000002
【特許請求の範囲】
【請求項１】
額の空間部分にラインストーン等の装飾品を容易に製作できるよう下絵の利用を可能にした少なくとも１枚は透明な平板を用いて一部を接合した２枚の平板を有することを特徴とするラインストーン等の装飾品のための額。
【請求項２】
一部を接合した２枚の平板の代わりに１枚の一部に円柱状の凹部を備え、もう１枚の一部に円柱状の凸部を備え、該凹部と該凸部をはめ込むことにより下絵を挟む２枚の平板を有する請求項１記載のラインストーンなどの装飾品のための額。
【請求項３】
一部を接合した２枚の平板の代わりに１枚の一部に線状の凹部を備え、もう１枚の一部に線状の凸部を備え、該凹部と該凸部をはめ込むことにより下絵を挟む２枚の平板を有する請求項１記載のラインストーンなどの装飾品のための額。
【請求項４】
一部を接合した２枚の平板の代わりに上下部左右部いずれかの３ヶ所、あるいは、２ヶ所を接合し下絵を挿し込むことができる封筒状、または、筒状、あるいは、クリアファイル状の平板を有する請求項１記載のラインストーンなどの装飾品のための額。
【請求項５】
一部を接合した２枚の平板の代わりに１枚の平板に接着剤を塗布し、該接着剤をシールなどで被った部分を備えることにより、該シールをはがし、付着する該接着剤に下絵を貼り付けることができる平板を有する請求項１記載のラインストーンなどの装飾品のための額。
【発明の詳細な説明】
【技術分野】
【０００１】  本発明は、特定の絵や写真を下絵としてその図柄に合わせてラインストーン等を接着してできる装飾品を１個または複数個製作するために透明である平板を備えるラインストーン等を接着して製作する装飾品のための額に関するものである。
【背景技術】
【０００２】  一般的な額は表側の平板であるガラスと裏側の木製などの平板の間に写真などを挿入し密着させることにより絵や写真などを保護し、かつ、固定する方法が知られている。
額のうち、表側の平板であるガラスの部分と裏側の木製などの平板の間が空間になっており、該空間にラインストーン等で装飾品を製作する場合には、裏側の平板の該空間側の表面に直接ラインストーン等を接着剤で接着することで固定する方法が知られている。
【発明の開示】
【発明が解決しようとする課題】
【０００３】  そのために次のような問題点があった。
（イ）表側の平板であるガラスの部分と裏側の木製などの平板が空間になっている額にラインストーン等で作られる立体的な装飾品を固定する場合には、裏側の平板の表面に下絵なしで、または、下絵を描いて、あるいは、紙等に描いた絵や写真を貼り付けて下絵とするかの方法で直接ラインストーン等を接着するしかない。
（ロ）下絵なしではラインストーン等の接着の仕方が未熟な者にとっては下絵などのように指標となるものがないので作品の精度や美観を保ちながら接着することが困難である。
（ハ）下絵なしのままラインストーン等を接着すると接着した該ラインストーン等の隙間から該ラインストーン等の色と異なる裏側の下地の色が見え、美観を損なう。
（ニ）下絵を描くか、紙等に描いた絵や写真を貼り付けて下絵とする場合においても複数個製作する場合には、その都度、下絵を描かなければならない。
下絵を貼り付けなければならないという大変手間がかかる作業を要している。
（ホ）描かれた下絵や貼り付けられた下絵の表面に直接接着剤を塗布すると、ラインストーン等の接着の位置が誤ったりして塗布した該接着剤を拭き取る場合、下絵が汚れたり傷む場合がある。
（ヘ）描かれた下絵や貼り付けられた下絵の表面に直接ラインストーン等を接着すると、これらの下絵を構成する塗料、または、紙等の素材に対し、ラインストーン等の接着の強度不足が生じることがあり、製作された装飾品が時間の経過とともに製作された時点の形状を保つための耐久力が早く劣化することになる。
本発明は、これらの問題点を解決するためになされたものである。
【課題を解決するための手段】
【０００４】  ラインストーン等を平板に接着して装飾品を容易に製作できるよう、２枚の平板の一部を接合し、少なくとも平板のうち１枚は透明な合成樹脂やガラス等を用い、もう１枚は透明、不透明を問わず、合成樹脂や紙等よりなり、両者の間に紙などに描かれた絵や写真などの下絵を挿入し、透明な平板側の表面に透けて見える下絵に沿ってラインストーン等を接着剤で接着することによって、容易に、かつ、接着や作品の精度を保ちながら装飾品を製作することができ、複製された下絵を用いて複数の装飾品を製作でき、誤って接着剤を塗布した部分も下絵を汚したり傷ませたりすることなく容易に拭き取ることができ、美観や形状を保ちつつ、経時劣化を遅らせることができる。
以上を特徴とするラインストーン等の装飾品のための額である。
【発明の効果】
【０００５】  本発明の額を用いると、ラインストーン等を接着して装飾品を製作する場合において、手間をかけずに下絵を存在させることができる。
常に存在する下絵があるため初心者でも該下絵を指標として作品の精度や美観を保ちながら製作することが可能となる。
あるいは、接着するべきラインストーンなどの色と下絵の色の組み合わせを容易に見比べ、そして両者を同じ色に合わすこと、または類似にすることによって美観を保つようにすることができる。
そして、接着されたラインストーン等の隙間から該ラインストーン等と同じ、または類似の下絵が見えるので美観が保たれ、さらに、複製の下絵を複数個作り、該下絵を用いて複数個の装飾品の製作がより容易にできる。
仮にラインストーン等の接着の位置が誤った場合でも塗布した接着剤のふき取りが容易でかつ汚すことも傷ませることもなく、または下絵に直接ラインストーン等を接着する場合に比べて下絵に直接接着剤が接触していないので、接着の強度が保たれ装飾品の経時劣化を遅らせることができる。
【発明を実施するための最良の形態】
【０００６】  以下、本発明の実施の形態を説明する。
図１は、本発明に係わる額の第１の実施形態を示した額の表側の部分、裏側の平板及び下絵（２２）を挟む接合された平板の斜視図である。
図２は、本発明に係わる額の第２の実施形態を示す額の下絵（２２）を挟む接合されるべき平板の斜視図である。
ただし、接合は一方の平板の円柱状の凹部分（１０）と他方の平板の円柱状凸部分（１２）を合わせることにより行う。
図３は、本発明に係わる額の第３の実施形態を示す額の下絵（２２）を挟む接合されるべき平板の斜視図である。
ただし、接合は一方の平板の線型の凹部分（１４）と他方の平板の線型の凸部分（１６）を合わせることにより行う。
なお、凹凸の形状は合体したとき分離しづらくするため凹部分は中央部分の空間が先端部分の空間より広く、凸部分は突起の先端部分の体積が中央部分の体積より大きくする。
図４は、本発明に係わる額の第４の実施形態を示した額の下絵（２２）を挿し込む部分（１８）を備える上部左右部が接合された封筒状の平板（１７）の斜視図である。
図５は、本発明に係わる額の第５の実施形態を示した額の下絵（２２）を、接着剤で固定するため、接着剤を塗布しその上をシールで被う部分（２０）を含む平板（１９）の斜視図である。
図６は、本発明に係わる額の第５の実施形態を示した額の裏側からの斜視図である。
図７は、木製、その他の枠（１）とガラス（２）、上面の平板（５）、下絵（２２）、下面の平板（７）、裏側の平板（８）を重ね合わせた状態の断面図である。【０００７】  さらに、本発明の具体的な実施の形態について説明する。
図１は、本発明に係わる額の第１の実施形態を示した額の表側の部分、裏側の平板及び下絵（２２）を挟む接合された平板である。
図２は、本発明に係わる額の第２の実施形態を示した額の下絵（２２）を挟む接合されるべき平板である。
ただし、接合は一方の平板の円柱状の凹部分（１０）と他方の平板の円柱状凸部分（１２）を合わせることにより行う。
図３は、本発明に係わる額の第３の実施形態を示す額の下絵（２２）を挟む接合されるべき平板である。
ただし、接合は一方の平板の線状の凹部分（１４）と他方の平板の線状の凸部分（１６）を合わせることにより行う。
なお、凹凸の形状は合体したとき分離しづらくするため凹部分は中央部分の空間が先端部分の空間より広く、凸部分は突起の先端部分の体積が中央部分の体積より大きくする。
図４は、本発明に係わる額の第４の実施形態を示す額の下絵（２２）を挿し込む部分（１８）を備える上部左右部が接合された封筒状の平板（１７）である。
図５は、本発明に係わる額の第５の実施形態を示す額の下絵（２２）を、接着剤で固定するため、接着剤を塗布しその上をシールで被う部分（２０）を含む平板（１９）である。
図６は、本発明に係わる額の第５の実施形態を示した額の裏側である。
図７は、木製、その他の枠（１）とガラス（２）、上面の平板（５）、下絵（２２）、下面の平板（７）、裏側の平板（８）を重ね合わせた状態の断面図である。
（イ）額の表側である枠（１）にガラス（２）と該ガラス（２）を固定する溝（３）、下絵（２２）を挟むことによってラインストーン等を接着することを可能にし、かつ接合部（６）（１０）（１２）（１４）（１６）によって接合された２枚の平板（５）（７）（９）（１１）（１３）（１５）、または、上下左右部の３ヶ所、あるいは２ヶ所を接合することによって下絵（２２）を挿し込むことができる平板（１７）、または、接着によって下絵（２２）を貼り付けることができる平板（１９）と裏側の平板（８）をはめ込む溝（４）、そして、裏側の平板（８）を固定する金具（２１）を設ける。
（ロ）装飾品の製作中に曲がらないようにある程度の厚みがあり、透明性のポリプロピレン、ポリエステル、ポリカーボネートといった周知の樹脂やガラスの上面の平板（５）（９）（１３）（１７）（１９）とポリプロピレン、ポリエステル、ポリカーボネートといった周知の樹脂や紙の下面の平板（７）（１１）（１５）を接合部（６）によって、あるいは、凹凸（１０）（１２）（１４）（１６）によって開閉可能な状態から下絵（２２）を挟み込める。
または、上下部左右部の３ヶ所、場合によっては、２ヶ所を接合した封筒状（１７）、または、筒状、ないしは、クリアファイル状によって下絵を差し込める。
あるいは、上面の平板の裏面に接着剤を塗布し、その上にシールを貼り、使用時にはシールを剥ぐことによって下絵を貼り付けられる状態（２０）にしておく。
（ハ）前記の（ロ）に記載した上面の平板（５）（９）（１３）と下面の平板（７）（１１）（１５）の間に下絵（２２）を挟み込む。
または、封筒状（１７）、場合によっては、筒状、ないしは、クリアファイル状の平板に下絵を挿入して挟み込む。
あるいは、接着によって下絵（２２）を貼り付けた平板（１９）をラインストーン等が接着した上面の平板（５）（９）（１３）（１７）（１９）の装飾した面をガラス（１）方向に向くように該平板（５）（７）（９）（１１）（１３）（１５）（１７）（１９）を溝（４）へはめ込む。
さらに、裏側の平板（８）を溝（４）へはめ込み、金具（２１）によって固定する。
本発明は以上のような構造で、この使い方を説明する。【０００８】  透明な上面の平板（５）（９）（１３）と下面の平板（７）（１１）（１５）の間に絵や写真などを下絵（２２）として挟み込む。
または、平板（１７）に下絵（２２）を挿し込む。
あるいは、平板（１９）に下絵（２２）を貼り付け、上面の平板（５）（９）（１３）（１７）（１９）が透明であるのでその表面に、該下絵（２２）が透けていることを利用して該下絵（２２）に沿ってラインストーン等を接着することができる。【０００９】  接着に当たっては接着剤を該表面に接着する部分ごとに適量を塗布し、下絵に沿ってラインストーン等を置いていくので接着の位置を間違えることが少ない。【００１０】  仮に間違えても接着剤の塗布された表面からラインストーン等を取り除き、リムーバーなどで接着剤を完全に拭き取ることができ、改めて正しく接着をやり直すことが可能である。
また、修正した場合においても直接下絵に接着剤を塗布しないので下絵が汚れることや損傷することもないように平板を利用することができる。【００１１】  ラインストーン等を接着させた装飾品は、透明な上面の平板（５）（９）（１３）と下絵（２２）と下面の平板（７）（１１）（１５）が密着した形で重なる。
また、封筒状の中に挿入された下絵（２２）も封筒状（１７）、場合によっては、筒状、ないしは、クリアファイル状の中で密着した状態になる。
あるいは、透明な上面の平板（１９）と貼り付けた下絵（２２）は裏側の平板（８）を重ねることにより密着した状態になる。
そして、ラインストーン等とラインストーン等との隙間は下絵がカバーすることになり美観を保つことを可能にする。【００１２】  ラインストーン等を接着するのは時間の経渦でほとんど形や質が変化しないポリプロピレン等の樹脂でできた平板（５）（９）（１３）（１７）（１９）である。
紙等や塗料で描いた下絵に直接ラインストーン等を接着する場合と比べ、接着の状態はほとんど経時変化をせず、装飾品として製作したときの状態を長期にわたり保つことができるように平板を利用することができる。【００１３】  同じ図柄のラインストーン等を接着した装飾品を複数製作する場合、その図柄となるべき絵や写真を複数複製しておき、その各々を下絵（２２）とし、つまり１個の装飾品のために１枚の下絵（２２）を利用することによって同じ図柄の複数の装飾品の製作を可能にする。【００１４】  装飾品が完成したら装飾した上面の平板（５）（９）（１３）と下面の平板（７）（１１）（１５）を密着させつつ、また、封筒状（１７）、場合によっては、筒状、ないしは、クリアファイル状の平板に下絵を挿入したまま、あるいは上面の平板（１９）に下絵を貼り付けたまま、装飾面をガラス（２）方向に向けて溝（４）にはめ込む。
さらに、裏側の平板（８）を溝（４）にはめ込み、金具（２１）によって固定することによって、前記の（イ）と装飾をした（ロ）と（ハ）の３点が合わさることによって、そのまま作品として部屋への装飾、ウェルカムボード、ウェディングボード、記念品や贈り物などとして使用することができる。
【図面の簡単な説明】
【００１５】
【図１】  本発明の分解斜視図である。
【図２】  本発明に係わる額の第２の実施形態を示した斜視図である。
【図３】  本発明に係わる額の第３の実施形態を示した斜視図である。
【図４】  本発明に係わる額の第４の実施形態を示した斜視図である。
【図５】  本発明に係わる額の第５の実施形態を示した斜視図である。
【図６】  本発明に係わる額の第６の実施形態を示した額の裏側の斜視図である。
【図７】  本発明の断面図である。
【符号の説明】
【００１６】  １  木製、その他の枠
２  透明ガラス、または合成樹脂の平板
３  上記２の透明のガラス、または合成樹脂の平板をはめ込むための溝
４  装飾物を固定した平板と額の裏面をはめ込むための溝
５  ラインストーンなどの装飾物を固定するための平板
６  ２枚の平板の接合部
７  下絵を裏側から固定するための平板
８  額の裏面
９  ラインストーンなどの装飾物を固定するための平板
１０  円柱状の凹部分
１１  下絵を裏側から固定するための平板
１２  円柱状の凸部分
１３  ラインストーンなどの装飾物を固定するための平板
１４  線型の凹部分
１５  下絵を裏側から固定するための平板
１６  線型の凸部分
１７  封筒状の平板
１８  下絵を挿し込む部分
１９  ラインストーンなどの装飾物を固定するための平板
２０  平面の下面に接着剤を塗布し、この接着剤をシールなどで被った部分
２１  装飾物を固定した平板と額の裏面を固定するための金具
２２  下絵
【図１】
2009143214.tif 000003
【図２】
2009143214.tif 000004
【図３】
2009143214.tif 000005
【図４】
2009143214.tif 000006
【図５】
2009143214.tif 000007
【図６】
2009143214.tif 000008
【図７】
2009143214.tif 000009